(57)【要約】      （修正有）【課題】簡素な構造で空の土のう袋を確実に保持することができ、所定量の土砂などの充填物を正確に充填することができ、土のう袋の着脱作業が容易で、短時間の内に品質の安定した大量の土のうを製作することができ、作業者の負担を軽減できる省力性、連続作業性、作業効率性、量産性に優れた土のう製作機を提供する。【解決手段】充填物を土のう袋の開口部に案内して土のう袋に投入するための投入部２と、投入部の前面側に上下方向に回動自在に配設され土のう袋の開口部を開閉する口紐又は土のう袋の開口部の周縁部に配設された吊り紐が係止されるフック部３と、一端がフック部に連結され他端が投入部の前面側でフック部の上方に連結されフック部を上方に付勢する弾性連結部材５とを備える。【選択図】図１
0003163944.tif 000002
【実用新案登録請求の範囲】
【請求項１】
土のう袋に充填物を充填する土のう製作機であって、
前記充填物を前記土のう袋の開口部に案内して前記土のう袋に投入するための投入部と、前記投入部の前面側に上下方向に回動自在に配設され前記土のう袋の前記開口部を開閉する口紐又は前記土のう袋の前記開口部の周縁部に配設された吊り紐が係止されるフック部と、一端が前記フック部に連結され他端が前記投入部の前面側で前記フック部の上方に連結され前記フック部を上方に付勢する弾性連結部材と、を備えていることを特徴とする土のう製作機。
【請求項２】
前記投入部の背面側の上端部に形設された掛止部を備えていることを特徴とする請求項１に記載の土のう製作機。
【請求項３】
前記掛止部から垂設された脚部と、前記脚部の下端部に配設された平板状の支持台と、を備えていることを特徴とする請求項２に記載の土のう製作機。
【請求項４】
前記投入部の両側部に配設された脚部を備えていることを特徴とする請求項１に記載の土のう製作機。
【請求項５】
前記投入部が前記脚部に対して水平軸周りに回動自在に保持されていることを特徴とする請求項４に記載の土のう製作機。
【考案の詳細な説明】
【技術分野】
【０００１】
本考案は、土のう袋に所定量の充填物を正確に充填することができる土のう製作機に関するものである。
【背景技術】
【０００２】
従来、大雨等による斜面の崩壊や堤防の決壊，道路冠水等の災害現場、河川工事現場等では、被害の拡大の防止や止水等の応急措置に土のうが用いられている。
通常、人手で土のうを製作する場合には、１人乃至複数人の作業者がスコップやシャベルなどを用いて土砂の投入作業などを行っている。１人で作業する場合には、一方の手で土のう袋の口を広げて持ち、他方の手に持ったスコップで土砂をすくって投入しなければならず、重労働で、腕や腰などに負担がかかり易く、作業効率が悪く、土砂の投入量もばらつき、生産性に欠けるという問題があった。また、２人で作業する場合には、１人が土のう袋の口を広げて持ち、もう１人がスコップやシャベルで土砂をすくって投入することができ、作業性が向上するが、同じ動作の連続で、腰痛や疲労の発生に繋がり易く、土砂の投入量も一定にならず、量産性に欠けるという問題があった。
漏斗を土のう袋の開口部から挿し入れ、土砂を投入する方法やスタンド上に土のう袋を設置し、開口部を折り返してクリップなどで固定して土砂を投入する方法もあるが、漏斗の挿抜、開口部の折り返しや固定などの作業工数が増加し、連続作業性、作業の効率性に欠け、一般的には普及していない。
【０００３】
一方、大型の土のうや大量の土のうを製作する場合に使用される装置や器具も検討されており、例えば、（特許文献１）には、「上部が土の投入口となり下部が放出口となる上下方向に延伸した略筒形状であり、投入口から投入された土を下方に案内して放出口から放出するための１ないし複数のガイド体と、自立可能であって放出口が所定の高さに位置するようにガイド体を中空で支持する支持枠と、土嚢袋をガイド体の放出口に下方から被せてつり上げた際に、当該土嚢袋の口部分に着脱自在に係止可能な係止体と、を備えた土嚢作成装置。」が開示されている。
また、（特許文献２）には、「大型土嚢袋にホッパーを挿入し、土砂投入と吊り作業が併用できる、吊上げ用装置付き大型土嚢成形ホッパー。」が開示されている。
【先行技術文献】
【特許文献】
【０００４】
【特許文献１】実用新案登録第３１２３７１８号公報
【特許文献２】実用新案登録第３１２９３６４号公報
【考案の開示】
【考案が解決しようとする課題】
【０００５】
しかしながら上記従来の技術においては、以下のような課題を有していた。
（１）（特許文献１）に開示の土嚢作成装置は、係止体によって土嚢袋をつり上げた状態で土を投入することができるが、土を投入した後は、係止体から土嚢袋の閉じ紐を外し、ガイド体から土嚢袋を取り外さなければならず、土嚢袋の着脱作業性、作業効率性に欠けるという課題を有していた。
（２）（特許文献２）に開示の吊上げ用装置付き大型土嚢成形ホッパーは、フックに吊り荷の負荷が掛かっていない時は、外れ止め安全ピンが開放し、吊り荷状態になると、安全ピンがスライドし自動的に閉鎖する吊り荷の自動脱着可能な外れ止め付き吊りフックを備えており、吊上げ用装置（吊りフック）は作業員の補助作業なしでホッパーとの着脱を行うことができるが、ホッパーの土嚢袋への挿抜やホッパーの土嚢袋取付フックと土嚢袋の取手（口紐）との着脱作業は人手で行わなければならず、土嚢袋の着脱作業性、作業効率性に欠けるという課題を有していた。
（３）また、（特許文献１）、（特許文献２）共に、土嚢袋に投入する土砂の量を管理する機構を有していないので、所定量の土砂を充填して、一定の品質を確保するためには、別途、土砂の投入量を管理しなければならず、量産性、品質の安定性に欠けるという課題を有していた。
【０００６】
本考案は上記従来の課題を解決するもので、簡素な構造で空の土のう袋を確実に保持することができ、所定量の土砂などの充填物を正確に充填することができ、土のう袋の着脱作業が容易で、短時間の内に品質の安定した大量の土のうを製作することができ、作業者の負担を軽減できる省力性、連続作業性、作業効率性、量産性に優れた土のう製作機の提供を目的とする。
【０００７】
上記従来の課題を解決するために本考案の土のう製作機は、以下の構成を有している。
本考案の請求項１に記載の土のう製作機は、土のう袋に充填物を充填する土のう製作機であって、前記充填物を前記土のう袋の開口部に案内して前記土のう袋に投入するための投入部と、前記投入部の前面側に上下方向に回動自在に配設され前記土のう袋の前記開口部を開閉する口紐又は前記土のう袋の前記開口部の周縁部に配設された吊り紐が係止されるフック部と、一端が前記フック部に連結され他端が前記投入部の前面側で前記フック部の上方に連結され前記フック部を上方に付勢する弾性連結部材と、を備えた構成を有している。
この構成により、以下のような作用が得られる。
（１）充填物を土のう袋の開口部に案内して土のう袋に投入するための投入部と、投入部の前面側に土のう袋の開口部を開閉する口紐又は土のう袋の開口部の周縁部に配設された吊り紐が係止されるフック部を有するので、投入部に土のう袋の開口部を簡便かつ確実に固定することができ、充填物を投入部から土のう袋に漏れなく効率的に投入することができ、充填物の投入作業の確実性、効率性に優れる。
（２）フック部が投入部の前面側に上下方向に回動自在に配設され、一端がフック部に連結され他端が投入部の前面側でフック部の上方に連結されフック部を上方に付勢する弾性連結部材を有することにより、土のう袋の中に所定量の充填物が充填され、弾性連結部材の伸びが一定量を超えた時に、下方に回動したフック部から口紐又は吊り紐が滑り落ちて固定が外れ、土のう袋が自動的に落下するので、充填物の充填量を簡便かつ確実に管理することができ、土のう袋の着脱作業性、土のう製作の連続作業性、作業効率性に優れ、短時間の内に品質の安定した土のうを大量に製作することができる。
【０００８】
ここで、投入部は、上下が開口し、上方の開口部から供給される充填物を下方の開口部から排出して土のう袋に投入する。投入部の形状は適宜、選択することができるが、上方から下方に向かって断面積が縮小する円錐状や角錐状に形成されたホッパ部を有するものが好適に用いられる。また、ホッパ部の下端側に断面が円形状や矩形状の筒状部を設けることにより、筒状部を土のう袋の開口部から挿通して投入部に確実に土のう袋を装着することができ、充填物を漏れなく案内して土のう袋の中に投入することができる。
フック部の基部は回動軸によって投入部の側部に回動自在に支持される。
フック部は下方に回動した際に、速やかに土のう袋の口紐又は吊り紐が滑り落ちるように、略直線状又は緩やかに湾曲した曲線状などに形成された係止部を有するものが好適に用いられる。
弾性連結部材としてはコイルばね（引きばね或いは圧縮ばね）が好適に用いられる。予め弾性力の異なる複数種類の弾性連結部材を用意しておき、土のう袋の大きさや充填物の充填量に応じて連結部材を交換すれば、所望の充填量で確実に充填することができ、汎用性、動作の安定性に優れる。
【０００９】
請求項２に記載の考案は、請求項１に記載の土のう製作機であって、前記投入部の背面側の上端部に形設された掛止部を備えた構成を有している。
この構成により、請求項１で得られる作用に加え、以下のような作用が得られる。
（１）投入部の背面側の上端部に形設された掛止部を有するので、掛止部をトラックの荷台のあおりや作業現場周辺の各種装置や構造物等の横架材などに掛け止めるだけで投入部を固定して使用することができ、投入部に脚部などを設ける必要がなく、コンパクトで持ち運びが容易で、汎用性、取扱い性に優れる。
（２）掛止部をトラックの荷台のあおりに係止した場合、荷台に積載した土砂などを投入部から簡便に投入することができ、省力性、連続作業性に優れる。
【００１０】
ここで、掛止部の形状、数、配置は適宜、選択することができるが、略Ｌ字型や略コ字型に形成したものが好適に用いられる。また、掛止部を着脱自在にした場合、作業現場にある各種装置や構造物等の対象物に応じて、最適な掛止部を選択して取り付けることができ、汎用性、使用性、固定の安定性に優れる。
【００１１】
請求項３に記載の考案は、請求項２に記載の土のう製作機であって、前記掛止部から垂設された脚部と、前記脚部の下端部に配設された平板状の支持台と、を備えた構成を有している。
この構成により、請求項２で得られる作用に加え、以下のような作用が得られる。
（１）掛止部から垂設された脚部と脚部の下端部に配設された平板状の支持台を有するので、土のう袋への充填物の充填が完了し、フック部の固定が外れても、支持台で土のう袋を所定の高さに保持することができ、土のう袋が地面まで落下することがなく、作業者がしゃがんだり、腰を曲げたりせずに、土のう袋を回収することができ、作業性、安全性に優れる。
【００１２】
ここで、脚部を伸縮自在にすることにより、土のう袋の大きさ（高さ）や土のう製作機を掛止部で掛止した時の設置高さなどに応じて、支持台の高さを最適に調整して、作業効率を向上させることができ、汎用性、連続作業性、省力性に優れる。尚、支持台の高さを作業者の腰の位置と同程度に調整することにより、充填物が充填された土のう袋を回収する際に、作業者の腰への負担を軽減でき、使用性に優れる。
【００１３】
請求項４に記載の考案は、請求項１に記載の土のう製作機であって、前記投入部の両側部に配設された脚部を備えた構成を有している。
この構成により、請求項１で得られる作用に加え、以下のような作用が得られる。
（１）投入部の両側部に配設された脚部を有するので、作業現場などの任意の場所に自立させて使用することができ、設置自在性、取扱い性に優れる。
【００１４】
ここで、脚部は投入部を支持して自立できるものであればよいが、脚部を伸縮自在にすることにより、土のう袋の大きさ（高さ）や充填物の供給源の高さなどに応じて、投入部の高さを最適に調整して、作業効率を向上させることができ、汎用性、連続作業性、省力性に優れる。
【００１５】
請求項５に記載の考案は、請求項４に記載の土のう製作機であって、前記投入部が前記脚部に対して水平軸周りに回動自在に保持された構成を有している。
この構成により、請求項４で得られる作用に加え、以下のような作用が得られる。
（１）投入部が脚部に対して水平軸周りに回動自在に保持されているので、投入部を上方に回動させ、口紐や吊り紐をフック部に係止して投入部に容易に土のう袋を取り付けることができ、作業者がしゃがんだり、腰を曲げたりして作業を行う必要がなく、土のう袋の装着作業性、連続作業性、使用性に優れる。
【００１６】
ここで、投入部の側部に回動操作用のレバーを設けた場合、簡便に投入部を回動させることができ、使用性に優れる。
【考案の効果】
【００１７】
以上のように、本考案の土のう製作機によれば、以下のような有利な効果が得られる。
請求項１に記載の考案によれば、
（１）土のう袋の中に所定量の充填物が充填された際に、土のう袋が自動的に落下して、充填物の充填量を簡便かつ確実に管理することができ、土のう袋の着脱作業性、土のう製作の連続作業性、作業効率性に優れ、短時間の内に品質の安定した土のうを大量に製作することができる省力性、量産性に優れた土のう製作機を提供することができる。
【００１８】
請求項２に記載の考案によれば、請求項１の効果に加え、
（１）掛止部をトラックの荷台のあおりや作業現場周辺の各種装置や構造物等の横架材などに掛け止めるだけで投入部を固定して使用することができ、投入部に脚部などを設ける必要がなく、コンパクトで持ち運びが容易な汎用性、取扱い性に優れた土のう製作機を提供することができる。
【００１９】
請求項３に記載の考案によれば、請求項２の効果に加え、
（１）充填物の充填が完了して投入部から落下する土のう袋を支持台で支持して、地面まで落下することを防止でき、作業者がしゃがんだり、腰を曲げたりせずに、容易に土のう袋を回収することができる作業性、安全性に優れた土のう製作機を提供することができる。
【００２０】
請求項４に記載の考案によれば、請求項１の効果に加え、
（１）作業現場などの任意の場所に自立させて使用することができる設置自在性、取扱い性に優れた土のう製作機を提供することができる。
【００２１】
請求項５に記載の考案によれば、請求項４の効果に加え、
（１）投入部を上方に回動させることにより、作業者がしゃがんだり、腰を曲げたりすることなく、口紐や吊り紐を容易にフック部に係止して投入部に土のう袋を取り付けることができる土のう袋の装着作業性、連続作業性、使用性に優れた土のう製作機を提供することができる。
【図面の簡単な説明】
【００２２】
【図１】実施の形態１における土のう製作機の側面図
【図２】実施の形態１における土のう製作機の正面図
【図３】（ａ）実施の形態１における土のう製作機を取り付けたトラックの側面図（ｂ）実施の形態１における土のう製作機を取り付けたトラックの背面図
【図４】実施の形態１における土のう製作機のフック部の動作を示す要部拡大正面図
【図５】実施の形態２における土のう製作機の側面図
【図６】実施の形態２における土のう製作機の正面図
【考案を実施するための最良の形態】
【００２３】
以下、本考案を実施するための最良の形態を、図面を参照しながら説明する。
（実施の形態１）
図１は本考案の実施の形態１における土のう製作機の側面図であり、図２は実施の形態１における土のう製作機の正面図である。
図１及び図２中、１は実施の形態１における土のう製作機、２は上下が開口し、上方の開口部から供給される充填物を下方の開口部から排出して土のう袋に投入するための投入部、２ａは上方から下方に向かって断面積が縮小する円錐状に形成された投入部２のホッパ部、２ｂはホッパ部２ａの下端側に延設され土のう袋の開口部から挿通される投入部２の断面円形状の筒状部、３は投入部２の筒状部２ｂの前面側に上下方向に回動自在に配設され土のう袋の開口部を開閉する口紐又は土のう袋の開口部の周縁部に配設された吊り紐が係止されるフック部、３ａは下方に回動した際に速やかに土のう袋の口紐又は吊り紐が滑り落ちるように上面の係止面が略直線状又は緩やかに湾曲した曲線状などに形成されたフック部３の係止部、３ｂはフック部３を回動自在に支持する回動軸、３ｃは係止部３ａの根元部に穿設された連結孔、４は投入部２の筒状部２ｂの側部でフック部３の上方に形設された固定部、４ａは固定部４に穿設された固定孔、５は一端がフック部３の連結孔３ｃに連結され他端が固定部４の固定孔４ａに連結されてフック部３を上方に付勢するコイルばねを用いた弾性連結部材、７は投入部２の筒状部２ｂの両側に突設された固定軸７ａの両端部に固設された略Ｌ字型の掛止部、８は各々の掛止部７から垂設された脚部、８ａは脚部８，８の下端部に配設された支持台である。
【００２４】
以上のように構成された本考案の実施の形態１における土のう製作機の使用方法について説明する。
図３（ａ）は実施の形態１における土のう製作機を取り付けたトラックの側面図であり、図３（ｂ）は実施の形態１における土のう製作機を取り付けたトラックの背面図である。
図３中、１０は荷台１１に土砂２５を積載したトラック、１１ａはトラック１０の荷台１１のあおり、２０は土のうの製作に用いる土のう袋、２０ａは土のう袋２０の開口部を開閉する口紐又は土のう袋２０の開口部の周縁部に配設された吊り紐である。
まず、土のう製作機１の掛止部７をトラック１０の荷台１１のあおり１１ａに掛け止める。このとき、図３（ｂ）に示すように、脚部８があおり１１ａの側面に近接していることにより、投入部２が大きく傾くことがなく、姿勢が略水平に保たれ固定安定性に優れる。尚、掛止部７の先端側を水平方向に伸縮自在とし、あおり１１ａなどの掛止対象の厚さに応じて、脚部８との距離を調整するようにしてもよいし、脚部８の表面（背面側）に合成ゴム等で形成された弾性部材を貼着したり、必要に応じて隙間を埋めるように硬質性や軟質性の板材或い弾性部材などを挟んだりしてもよい。
【００２５】
次に、土のう袋２０の開口部に投入部２の筒状部２ｂを挿通するようにして土のう袋２０を投入部２に装着し、土のう袋２０の口紐又は吊り紐２０ａをフック部３の係止部３ａに係止する。土のう袋２０は口紐又は吊り紐２０ａが係止部３ａに係止されることにより、支持台８ａと接地或いは支持台８ａよりやや上方に吊り上げられた状態で起立している。
土のう製作機１の投入部２の上面の開口部が荷台１１のあおり１１ａの上面と同程度の高さで固定されているので、作業者はシャベルなどを用いて簡便に土砂２５を荷台１１から投入部２に投入することができる。
【００２６】
掛止部７を略Ｌ字型に形成することにより、トラック１０の荷台１１のあおり１１ａだけでなく、作業現場周辺の各種装置や構造物等の横架材などに掛け止めて投入部２を固定することができる。尚、掛止部７や脚部８の形状や配置などはこれに限定されるものではなく、掛止対象物に応じて、適宜、選択することができる。
また、掛止部７と脚部８は一体に形成してもよいし、別部材で形成したものを溶接や螺子止めなどで固定してもよい。掛止部７の先端部を脚部８に対して螺子止めなどで着脱自在に固定した場合、作業現場にある各種装置や構造物等の掛止対象物に応じて、最適な掛止部７を選択して取り付けることができ、汎用性、使用性、固定の安定性に優れる。
【００２７】
次に、土のう製作機のフック部の動作について説明する。
図４は、実施の形態１における土のう製作機のフック部の動作を示す要部拡大正面図である。
図３の状態で土砂２５（充填物）の投入を続けると、土のう袋２０の質量の増加に伴って、土のう袋２０は水平方向に膨張すると共に開口部が下方に移動し、口紐又は吊り紐２０ａによって係止部３ａが下方に引かれ、フック部３が徐々に下方（右回り）に回動し、土のう袋２０が下降する。このとき、適度な長さを有する筒状部２ｂが土のう袋２０の内部に挿通されているので、土のう袋２０が下降しても土砂２５を漏れなく案内して土のう袋２０の中に投入することができる。
そして、土のう袋２０の中の土砂２５（充填物）が所定量を超え、弾性連結部材５の伸びが一定以上になると、フック部３が一気に下方に回動し、図４に示すように、係止部３ａから口紐又は吊り紐２０ａが滑り落ち、土のう袋２０が自動的に支持台８ａ上に落下する。本実施の形態では、フック部３が所定量以上、下方に回動した際に、速やかに土のう袋２０の口紐又は吊り紐２０ａが滑り落ちるように、係止部３ａの上面を略直線状に形成したが、これに限定されるものではなく、緩やかに湾曲した曲線状などに形成してもよい。
【００２８】
尚、支持台８ａの高さを作業者の腰の位置と同程度に設定することにより、充填物が充填された土のう袋を回収する際に、作業者の腰への負担を軽減でき、使用性に優れる。また、土のう袋２０が落下した状態では、土のう袋２０の開口部から投入部２の筒状部２ｂは抜けているので、土のう袋２０を簡便に水平方向（前方）に引き出すことができ、口紐を閉じて土のうを完成させることができる。尚、支持台８ａの両側部や背面部に土のう袋２０の落下を防止するための周壁部を設けてもよい。
以上のように、フック部３の固定が外れ、土のう袋２０が支持台８ａ上に落下（完全に接地）した時点で土砂２５の投入作業を終了することにより、略一定量の土砂２５を充填することができ、充填量を簡便かつ確実に管理することができ、土のう袋２０の着脱作業性、土のう製作の連続作業性、作業効率性に優れ、短時間の内に品質の安定した土のうを大量に製作することができる。
【００２９】
本実施の形態では、固定部４を投入部２の筒状部２ｂの前面側に形設したが、固定部４は投入部２のホッパ部２ａの前面側に形設してもよい。
また、本実施の形態では、弾性連結部材５としてコイルばね（引きばね或いは圧縮ばね）を用いたが、これに限定されるものではなく、通常状態ではフック部３を上方に付勢し、係止部３ａに加わる荷重（下向きの力）に伴って伸張して、フック部３を下方に回動させるものであればよい。尚、予め弾性力の異なる複数種類の弾性連結部材５を用意しておき、土のう袋２０の大きさや充填物の充填量に応じて連結部材５を交換すれば、所望の充填量で確実に充填することができ、汎用性、動作の安定性に優れる。
【００３０】
以上のように、本考案の実施の形態１における土のう製作機は構成されているので、以下のような作用が得られる。
（１）充填物を土のう袋の開口部に案内して土のう袋に投入するための投入部と、投入部の前面側に土のう袋の開口部を開閉する口紐又は土のう袋の開口部の周縁部に配設された吊り紐が係止されるフック部を有するので、投入部に土のう袋の開口部を簡便かつ確実に固定することができ、充填物を投入部から土のう袋に漏れなく効率的に投入することができ、充填物の投入作業の確実性、効率性に優れる。
（２）フック部が投入部の前面側に上下方向に回動自在に配設され、一端がフック部に連結され他端が投入部の前面側でフック部の上方に連結されフック部を上方に付勢する弾性連結部材を有することにより、土のう袋の中に所定量の充填物が充填され、弾性連結部材の伸びが一定量を超えた時に、下方に回動したフック部から口紐又は吊り紐が滑り落ちて固定が外れ、土のう袋が自動的に落下するので、充填物の充填量を簡便かつ確実に管理することができ、土のう袋の着脱作業性、土のう製作の連続作業性、作業効率性に優れ、短時間の内に品質の安定した土のうを大量に製作することができる。
（３）投入部の背面側の上端部に形設された掛止部を有するので、掛止部をトラックの荷台のあおりや作業現場周辺の各種装置や構造物等の横架材などに掛け止めるだけで投入部を固定して使用することができ、投入部に脚部などを設ける必要がなく、コンパクトで持ち運びが容易で、汎用性、取扱い性に優れる。
（４）掛止部をトラックの荷台のあおりに係止した場合、荷台に積載した土砂などを投入部から簡便に投入することができ、省力性、連続作業性に優れる。
【００３１】
（実施の形態２）
図５は実施の形態２における土のう製作機の側面図であり、図６は実施の形態２における土のう製作機の正面図である。尚、図５及び図６において、実施の形態１と同様のものには同じ符号を付して説明を省略する。
図５及び図６において、実施の形態２の土のう製作機１ａが実施の形態１の土のう製作機１と異なるのは、掛止部７を備えておらず、脚部８が投入部２の両側部に配設され、脚部８の下端部に支持台８ａの代わりに矩形枠状の脚部支持部８ｂを有し、投入部２が脚部８に対して水平軸９周りに回動自在に保持されている点である。
尚、９ａは水平軸９の一端に固設された回動操作用のレバー、９ｂはレバー９ａの先端に配設された把手である。
【００３２】
実施の形態２の土のう製作機１ａは脚部８及び脚部支持部８ｂにより自立することができ、設置自在性に優れる。尚、脚部８を伸縮自在にした場合、土のう袋２０の大きさ（高さ）や充填物の供給源の高さなどに応じて、投入部２の高さを最適に調整して、作業効率を向上させることができ、汎用性、連続作業性、省力性に優れる。
土のう製作機１ａの投入部２への土のう袋２０の装着方法は基本的には実施の形態１の土のう製作機１と同様だが、把手９ｂを握ってレバー９ａを回動させることにより、水平軸９周りに投入部２を回動させて上方に移動させることができるので、作業者がしゃがんだり、腰を曲げたりすることなく、簡便に土のう袋を装着することができ、作業性に優れる。
尚、土のう袋２０を装着した後の動作は実施の形態１と同様なので、説明を省略する。
【００３３】
以上のように実施の形態２の土のう製作機は形成されているので、実施の形態１の（１）及び（２）で得られる作用に加え、以下の作用が得られる。
（１）投入部の両側部に配設された脚部を有するので、作業現場などの任意の場所に自立させて使用することができ、設置自在性、取扱い性に優れる。
（２）投入部が脚部に対して水平軸周りに回動自在に保持されているので、投入部を上方に回動させ、口紐や吊り紐をフック部に係止して投入部に容易に土のう袋を取り付けることができ、作業者がしゃがんだり、腰を曲げたりして作業を行う必要がなく、土のう袋の装着作業性、連続作業性、使用性に優れる。
【産業上の利用可能性】
【００３４】
本考案は、簡素な構造で空の土のう袋を確実に保持することができ、所定量の土砂などの充填物を正確に充填することができ、土のう袋の着脱作業が容易で、短時間の内に品質の安定した大量の土のうを製作することができ、作業者の負担を軽減できる省力性、連続作業性、作業効率性、量産性に優れた土のう製作機の提供を行うことができ、大雨等による斜面の崩壊や堤防の決壊，道路冠水等の災害現場、河川工事現場等で、止水等の応急措置を迅速に行い、被害の拡大の防止に貢献することができる。
【符号の説明】
【００３５】
１，１ａ  土のう製作機
２  投入部
２ａ  ホッパ部
２ｂ  筒状部
３  フック部
３ａ  係止部
３ｂ  回動軸
３ｃ  連結孔
４  固定部
４ａ  固定孔
５  弾性連結部材
６  支持基部
６ａ  補強固定部
６ｂ  当接部
７  掛止部
７ａ  固定軸
８  脚部
８ａ  支持台
８ｂ  脚部支持部
９  水平軸
９ａ  レバー
９ｂ  把手
１０  トラック
１１  荷台
１１ａ  あおり
２０  土のう袋
２０ａ  口紐又は吊り紐
２５  土砂
【図１】
0003163944.tif 000003
【図２】
0003163944.tif 000004
【図３】
0003163944.tif 000005
【図４】
0003163944.tif 000006
【図５】
0003163944.tif 000007
【図６】
0003163944.tif 000008